(57)【要約】【課題】タイマーを一時停止であってもＡＰＯ機能を作動させることができ、省電力化、再入力操作不要及び誤操作による機器の作動を防ぐことができる電子機器、レーザーポインタ及び電源制御方法を提供する。【解決手段】タイマー付きレーザーポインタ１０は、ＣＰＵ２１が、タイマー機能を一時停止するとともに、一時停止しているタイマー機能を再開させる制御手段としての機能を有し、タイマー機能を一時停止させた場合にはタイマーのカウントを停止すると同時にＡＰＯ機能のカウントを開始し、タイマー機能を再開した場合にはタイマーのカウントを再開すると同時にＡＰＯ機能のカウントをクリアする電源制御を行う。【選択図】　図３
2004013404.tif 000002
【特許請求の範囲】
【請求項１】
設定時間を計時するタイマー機能と、
電源が投入されている状態で、一定時間にわたりキー入力等がない場合に電源をオフするオートパワーオフ機能とを有する電子機器において、
前記タイマー機能を一時停止するとともに、前記一時停止しているタイマー機能を再開させる制御手段を備え、
前記制御手段は、前記タイマー機能を一時停止させた場合にはタイマーのカウントを停止すると同時に前記オートパワーオフ機能のカウントを開始し、
前記タイマー機能を再開した場合にはタイマーのカウントを再開すると同時に前記オートパワーオフ機能のカウントをクリアすることを特徴とする電子機器。
【請求項２】
前記制御手段は、前記オートパワーオフ機能が動作後に、タイマーを再開したとき、タイマーを一時停止したときのタイマーカウントがない場合には、タイマーを再開させたキーの操作では電源オンをせずに、電子機器本体の電源キーの操作により電源をオンすることを特徴とする請求項１記載の電子機器。
【請求項３】
ケース内にレーザー出力手段を備え、レーザー光を投光するレーザーポインタにおいて、
前記請求項１又は２のいずれか一項に記載の電子機器を備えることを特徴とするレーザーポインタ。
【請求項４】
設定時間を計時するタイマー機能と、オートパワーオフ機能とを有する電子機器の電源制御方法であって、
タイマー機能を一時停止するステップと、
タイマー機能を一時停止させた場合には、タイマーのカウントを停止すると同時にオートパワーオフ機能のカウントを開始するステップと、
一時停止しているタイマー機能を再開させるステップと、
タイマー機能を再開した場合には、タイマーのカウントを再開すると同時にオートパワーオフ機能のカウントをクリアするステップと
を有することを特徴とする電源制御方法。
【発明の詳細な説明】
【０００１】
【発明の属する技術分野】
本発明は、オートパワーオフ機能を有する電子機器、レーザーポインタ及び電源制御方法に関する。
【０００２】
【従来の技術】
従来、ＰＤＡ（Ｐｅｒｓｏｎａｌ　Ｄｉｇｉｔａｌ　Ａｓｓｉｓｔａｎｔｓ）等の携帯情報端末や小型電子機器にあっては、電源が投入されている状態で一定時間、例えば５分程度連続してキー入力がない場合、電源となる電池の無駄な消耗を避けるために自動的に電源をオフするオートパワーオフ（以下、ＡＰＯ又はＡＰＯ機能と略称する）機能が搭載されている。
【０００３】
また、近時の電子手帳等では、パーソナルコンピュータ等を外部接続することによりそれらの機器との間でデータの送受を行う通信機能を有するものがある。通信機能を有する電子機器等で、通信の状態に関係なく上記ＡＰＯ機能を働かせた場合、データの通信を行っている途中に電源がオフされてしまい、通信データが消失してしまう等の不具合を招く可能性があった。
【０００４】
そこで、従来、命令実行の途中でＡＰＯが働かないよう、命令中はＡＰＯの作動を禁止する技術が知られている。例えば、特開平７−１８６４９３号公報には、印字命令実行中に限り、ＡＰＯの作動を禁止するテープ印刷装置が、また、特開平７−７８１１９号公報には、データの送受信実行中のＡＰＯを禁止する装置がそれぞれ開示されている。
また、逆に命令の処理中であっても無用な電力消費を回避する技術として特開平６−８０５０９号公報には、データの連続検索時、所定のデータ量を検索すればそれ以上の検索を中止すると共にＡＰＯが作動する技術が開示されている。
【０００５】
【発明が解決しようとする課題】
しかしながらこのような従来のＡＰＯ機能を有する電子機器にあっては、命令の一時停止中のＡＰＯ機能、及びＡＰＯ作動後の命令の再開が不可能であり、これは特にタイマー機能を有する電子機器においては実質的にＡＰＯ機能による消費電力削減が不可能であることを意味する。このため、長時間の講演などの状況において、不定期に休憩を挟む場合、従来技術では一旦、カウントをクリアして電源をオフする、もしくは一時停止状態を保持する必要がある。
【０００６】
前者の場合、講演の通算時間を知るためには休憩の前後のカウントを合算する必要があり、また、後者では電力の浪費となり、かつ機器の誤操作により予期せず機器が作動する恐れがある。例えば、レーザービームをスクリーン等に投光して指示を行うレーザーポインタのように取り扱いによっては人体に危険が有る機器において、予期せず機器が作動することは安全性上、大きな欠陥となる。
【０００７】
本発明は、このような課題に鑑みてなされたものであって、タイマーを一時停止であってもＡＰＯ機能を作動させることができ、省電力化、再入力操作不要及び誤操作による機器の作動を防ぐことができる電子機器、レーザーポインタ及び電源制御方法を提供することを目的とする。
【０００８】
【課題を解決するための手段】
本発明の電子機器は、設定時間を計時するタイマー機能と、電源が投入されている状態で、一定時間にわたりキー入力等がない場合に電源をオフするオートパワーオフ機能とを有する電子機器において、前記タイマー機能を一時停止するとともに、前記一時停止しているタイマー機能を再開させる制御手段を備え、前記制御手段は、前記タイマー機能を一時停止させた場合にはタイマーのカウントを停止すると同時に前記オートパワーオフ機能のカウントを開始し、前記タイマー機能を再開した場合にはタイマーのカウントを再開すると同時に前記オートパワーオフ機能のカウントをクリアすることを特徴としている。
【０００９】
また、より好ましくは、前記制御手段は、前記オートパワーオフ機能が動作後に、タイマーを再開したとき、タイマーを一時停止したときのタイマーカウントがない場合には、タイマーを再開させたキーの操作では電源オンをせずに、電子機器本体の電源キーの操作により電源をオンするものであってもよい。
本発明のレーザーポインタは、ケース内にレーザー出力手段を備え、レーザー光を投光するレーザーポインタにおいて、前記請求項１又は２のいずれか一項に記載の電子機器を備えることを特徴としている。
【００１０】
また、本発明の電源制御方法は、設定時間を計時するタイマー機能と、オートパワーオフ機能とを有する電子機器の電源制御方法であって、タイマー機能を一時停止するステップと、タイマー機能を一時停止させた場合には、タイマーのカウントを停止すると同時にオートパワーオフ機能のカウントを開始するステップと、一時停止しているタイマー機能を再開させるステップと、タイマー機能を再開した場合には、タイマーのカウントを再開すると同時にオートパワーオフ機能のカウントをクリアするステップとを有することを特徴としている。
このように構成された電子機器、レーザーポインタ及び電源制御方法は、タイマーを一時停止中であってもＡＰＯが働き、電力の消費を抑えることができる。
【００１１】
【発明の実施の形態】
以下、添付図面を参照しながら本発明の好適な電子機器、レーザーポインタ及び電源制御方法の実施の形態について詳細に説明する。
図１は、本発明の実施の形態のレーザーポインタの外観を示す図であり、ＡＰＯ機能を有する電子機器及び電源制御装置としてタイマー付きレーザーポインタに適用した例である。
【００１２】
図１において、タイマー付きレーザーポインタ１０（電子機器）は、本体１０ａ（ケース）に、タイマー用液晶表示（ＬＣＤ）からなる表示器１１、発光態様によりタイマーの残時間等の報知を行う複数（ここでは、ＬＥＤ１２ａ〜ＬＥＤ１２ｄの４個）のタイマー用発光表示素子（ＬＥＤ）１２、レーザー出力確認用パイロットランプ１３、レーザー出力実行キーであるポインタキー１４、レーザーポインタの電源をＯＮ／ＯＦＦする電源キー１５、表示器１１に残り時間を表示させる残り時間表示ボタン１６、タイマーの設定を行うカーソルキーからなるタイマー設定用キーボタン１７、タイマーのカウントを開始するスタートキー１８、及びタイマーの停止を行うストップキー１９を備えて構成される。
【００１３】
上記ポインタキー１４、残り時間表示ボタン１６、タイマー設定用キーボタン１７、スタートキー１８、及びストップキー１９は、入力部であるキーボード２０を構成する。
また、タイマー付きレーザーポインタ本体１０ａ内部には、レーザー光源、レーザーユニット（レーザー出力手段）、スイッチ、電池等（いずれも図示省略）が収納されており、ポインタキー１４押下によりレーザーユニットとレーザー光源の導通がとられると、レーザー光源からのレーザー光が本体１０ａの先端のレーザー射出口１０ｂから出射される構造である。ユーザは、レーザー射出口１０ｂを、指示したい方向へ向けてポインタキー１４を押すことで、ＯＨＰ・プロジェクタ等により投影された画面の任意の箇所を指示することができる。
【００１４】
電源キー１５は、一度押すと電源ＯＮとなり、例えば約２．３秒間押し続けると電源ＯＦＦとなる。
表示器１１は、残り時間を数値として表示する液晶表示装置（ＬＣＤ）である。表示器１１は、残り時間表示ボタン１６が押された時バックライトが点灯し、残り時間を確認できる。それ以外の場合は、概略表示部であるタイマー用発光表示素子（ＬＥＤ）１２により残り時間の大まかな把握を行う。
【００１５】
タイマー用発光表示素子（ＬＥＤ）１２は、４個のＬＥＤ１２ａ〜ＬＥＤ１２ｄから構成され、タイマーをスタートさせた時は４個のＬＥＤ全てが点灯している。タイマーの設定時間の４分の１が経過する毎にＬＥＤが左から順に１つずつ消灯していく。すなわち、点灯しているＬＥＤの数により、残り時間を大まかに把握することができる。
【００１６】
タイマー設定用キーボタン１７は、タイマーの時間を設定し、講演開始と同時にタイマーを開始させる。そして、ユーザは、講演途中に大まかに残り時間を確認したい時は、概略表示部であるＬＥＤ１２により確認を行い、正確に残り時間を確認したいときは、残り時間表示ボタン１６を押して、バックライトを点灯させ、表示器１１により残り時間を数値として確認する。
【００１７】
図２は、上記タイマー付きレーザーポインタ１０の構成を示すブロック図である。
図２において、タイマー付きレーザーポインタ１０は、機器全般の入出力／演算の処理やＡＰＯ機能などを制御するＣＰＵ２１（制御手段）、各種制御プログラムを記憶するＲＯＭ２２、カウンタの数値や演算データを記憶するＲＡＭ２３、バックライト２４ａを有するＬＣＤディスプレイ２４、ＬＣＤディスプレイ２４を駆動するＣＤドライバ２５、レーザー光を発射するレーザーユニット２６（レーザー出力手段）、レーザーの発射に連動するパイロットランプ２７、時間のカウントを行うカウンタ２８、タイマー設定用キーボタン１７，残り時間表示ボタン１６，ポインタキー１３などの入力部２９、及びキー入力をＣＰＵ２１に送る入出力ポート（Ｉ／Ｏポート）３０から構成される。
【００１８】
ＣＰＵ２１は、装置全体の制御を行う制御部であり、ＲＯＭ２２上のプログラムに従い、演算に使用するデータを記憶したメモリを使用してタイマー実行処理等各種処理を実行する。
また、ＣＰＵ２１は、ＲＯＭ２２上のプログラムに従い、キーの読み込み処理、レーザーユニット２６の電源制御処理、表示処理、タイマー設定処理、タイマー実行処理などタイマー付きレーザーポインタ１０の備える各機能の制御を行う。
【００１９】
特に、ＣＰＵ２１は、ＡＰＯ機能とタイマー機能を有する電子機器において、タイマー機能を一時停止するとともに、一時停止しているタイマー機能を再開させる制御手段としての機能を有し、タイマー機能を一時停止させた場合にはタイマーのカウントを停止すると同時にＡＰＯ機能のカウントを開始し、タイマー機能を再開した場合にはタイマーのカウントを再開すると同時にＡＰＯ機能のカウントをクリアする電源制御を行う。また、本実施の形態のレーザーポインタ１０では、誤操作による機器の誤作動を確実に防止するため、ＡＰＯ機能が動作後に、タイマーを再開したとき、タイマーを一時停止したときのタイマーカウントがない場合には、タイマーを再開させたスタートキー１８の押下では電源オンをせずに、本体１０ａの電源キー１５の押下により電源をオンする制御を行う。
【００２０】
ＲＯＭ２２は、ＣＰＵ２１が動作する際に必要なプログラム、制御データ等の固定データ，表示用のＣＧなどを記憶する読出し専用の半導体メモリである。
ＲＡＭ２３は、タイマー報知に関するデータや演算に使用するデータ及び演算結果等を一時的に記憶するいわゆるワーキングメモリとして使用される。また、ＲＡＭ２３は、タイマー動作に必要なデータをフラグ、ワークエリア（図４乃至図６で後述する）に格納する。
【００２１】
また、ＲＡＭ２３の一部は、電気的に書換可能な不揮発性メモリであるＥＥＰＲＯＭ（ｅｌｅｃｔｒｉｃａｌｌｙ　ｅｒａｓａｂｌｅ　ｐｒｏｇｒａｍｍａｂｌｅ　ＲＯＭ）からなり、ＥＥＰＲＯＭに書き込むプログラムを変えることによって、タイマー付きレーザーポインタ１０における各種の仕様を変更することができる。
レーザーユニット２６は、レーザー光源を駆動する駆動回路であり、ＣＰＵ２１よりレーザー照射の信号を受けて駆動してレーザー光を出力する。
以下、上述のように構成されたタイマー付きレーザーポインタの動作を説明する。
【００２２】
図３は、タイマー付きレーザーポインタのＡＰＯカウント処理を示すフローチャートであり、ＣＰＵ２１により実行される。図中、Ｓはフローの各ステップを示す。
リセット又は電源ＯＮ等の後、本ＡＰＯカウント処理がスタートし、まず、ステップＳ１で電源キー１５により主電源をオンする。これにより、レーザーポインタ機能が有効となり、ポインタキー１４の入力に連動し、レーザーユニット２６よりレーザーを発射できる状態となる。この時点でポインタキー１４を押下するとレーザー射出口１０ｂよりレーザー光が発射される。
【００２３】
次いで、ステップＳ２でタイマー設定用キーボタン１７によりタイマーの設定を行う。このタイマー設定は、レーザーポインタの操作可能な時間である。あるいは、講演を行う時間でも良い。タイマーを設定した後は、このタイマーを稼動させるためにステップＳ３でスタートキー１８を押下することによりタイマーのカウントを開始する。これにより、レーザーポインタの操作も可能となる。このとき、ＬＣＤからなる表示器１１にタイマーのカウントが表示されるものとする。表示方法としては、タイマーの残り時間を表示したり、経過時間を表示したりする。また、ＬＥＤ１２による表示を行うときにも使用する。
【００２４】
次いで、ステップＳ４でタイマーのカウントを一時停止するか否かを判別する。ストップキー１９によりタイマーを一時停止する場合、ステップＳ５でＡＰＯ（オートパワーオフ機能）のカウントを開始する。また、タイマーの一時停止を行わない場合は、ステップＳ１４に進んでステップＳ１４でタイマー終了まで、継続してカウントを行う。
【００２５】
上記ステップＳ５でＡＰＯのカウントを開始すると、ステップＳ６でＡＰＯカウント終了か否かを判別する。タイマーの一時停止中にＡＰＯのカウンタが所定時間に達した場合と、所定時間に達する前にタイマーが再開された場合の分岐となる。ＡＰＯのカウント終了前にタイマーを再開する場合には、ステップＳ７でスタートキー１８を入力し、ステップＳ８でＡＰＯのカウントを停止し、ＡＰＯのカウントがクリアされる。次いで、ステップＳ９でタイマーのカウントを再開し、タイマーのカントが終了するまで続けられる（ステップＳ１４）。
【００２６】
一方、上記ステップＳ６でタイマーの一時停止中にＡＰＯのカウントが所定時間に達した場合には、ステップＳ１０でタイマーのカウント数値をＲＡＭ２３に保存し、ステップＳ１１で電源をオフする。そして、電源がオフの状態から、ＡＰＯの作動前の状態よりタイマーを作動させる場合、すなわち、ＡＰＯで電源がＯＦＦとなった場合から再開させるにはステップＳ１２に進み、ステップＳ１２でスタートキー１８を入力することにより可能となる。次いで、ステップＳ１３でＲＡＭ２３よりＡＰＯ作動前に保存したタイマーの数値を読み込み、ステップＳ９でタイマーのカウントを再開する。
【００２７】
ステップＳ１４でタイマーのカウントが終了すると、ステップＳ１５でＡＰＯのカウントを開始し、ステップＳ１６に進む。
ステップＳ１６では、ＡＰＯのカウント中のキー入力の有無を確認し、キー入力があった場合は、ステップＳ１７でＡＰＯのカウントをクリアし、再度ステップＳ１５に戻り、ＡＰＯのカウントを開始し直す。
【００２８】
上記ステップＳ１６で、キー入力がない場合は、ステップＳ１８でＡＰＯカウント終了処理を行う。具体的には、タイマーが作動しておらず、なおかつキー入力もなく、ＡＰＯのカウントが所定時間に達した状態をＡＰＯカウント終了とし、ステップＳ１９で機器の電源をオフして本フローを終了する。
上述した処理フローの各ステップにおけるポインタ機能の使用可否、タイマー／ＡＰＯカウンターの作動状態の流れについて図４乃至図６を用いて具体的に説明する。
【００２９】
図４乃至図６は、電子機器の各機能の作動状態を示す図であり、図４のタイムテーブルは、タイマーの一時停止を使用しない例を、図５のタイムテーブルは、タイマーの一時停止を使用／ＡＰＯ作動前に再開する例を、図６のタイムテーブルは、タイマーの一時停止を使用／ＡＰＯ作動後に再開する例をそれぞれ表す。ＡＰＯカウンタは、タイマー作動中は作動しないものとし、ＡＰＯカウンタ作動中に何らかのキー入力がされた場合、ＡＰＯカウンタがクリアされ、再度、０からカウントするものとする。
図４の例１は、タイマー作動後、一時停止を行わず、タイマー終了まで継続してタイマーのカウントを行い、その後、ＡＰＯが作動して電源が自働的にＯＦＦされる場合を示す。
【００３０】
ＳＴＥＰ２０は、電源がオンされた状態であり、電源オンと共にポインタ機能の使用、及びタイマー設定することが可能となるとともに、ＡＰＯのカウントも開始される。ポインタ機能は、機器の電源がオンになっている限り、如何なる状態であっても使用可能な状態となる。
【００３１】
ＳＴＥＰ２１では、タイマーの設定が行われ、タイマーが開始すると、タイマーのカウントを行うとともに、ＡＰＯのカウントがクリアされる。タイマー作動中はＡＰＯのカウントは行われないものとする。このとき、タイマーが作動していなければ、ＡＰＯのカウント動作は、キー入力を行わない限り、継続しているため、電源オンより一定時間キー入力がない場合、ＡＰＯにより電源はオフになる。
【００３２】
ＳＴＥＰ２２では、タイマーのカウントが終了すると、ＡＰＯのカウントが開始される。そして、ＳＴＥＰ２３で、ＡＰＯのカウントが所定時間に達すると電源がオフとなり、ポインタ／タイマー機能共に使用不可となる。そして、ＡＰＯのカウントも終了する。ここで、ＡＰＯのカウント中に何らかのキー入力があった場合、ＡＰＯのカウントはクリアされた後、再開することになる。
【００３３】
図５の例２は、タイマーの作動中に一時停止を行い、ＡＰＯが作動する前にタイマーを再開する場合を示す。
ＳＴＥＰ２４は、電源オンと共にポインタ機能の使用、及びタイマー設定が可能となるとともに、ＡＰＯのカウントも開始される。ポインタ機能は機器の電源がオンになっている限り、如何なる状態であっても使用可能とする（上記ＳＴＥＰ２０と同様）。
【００３４】
ＳＴＥＰ２５では、タイマーの設定を行い、タイマーを開始すると、タイマーのカウントを行うとともに、ＡＰＯのカウントがクリアされる。このとき、ＡＰＯのカウントはキー入力を行わない限り、継続しているため、電源オンより一定時間キー入力がない場合、ＡＰＯにより電源はオフになる。また、タイマー作動中はＡＰＯのカウントは行われないものとする（上記ＳＴＥＰ２５と同様）。
【００３５】
ＳＴＥＰ２６では、ストップキー１９によりタイマーのカウントが停止する。そして、ＡＰＯのカウントが開始される。そして、ＡＰＯのカウントが開始され、ＡＰＯが作動する前に、スタートキーによりタイマーが再開されたものとする。
【００３６】
ＳＴＥＰ２７では、スタートキー１８によりタイマーのカウントが再開するとともに、ＡＰＯのカウントがクリアされることになる。このとき、タイマーが作動中となったため、ＡＰＯのカウントは停止する。
ＳＴＥＰ２８では、タイマーのカウントが終了するとともに、ＡＰＯのカウントを開始する（上記ＳＴＥＰ２２と同様）。
【００３７】
ＳＴＥＰ２９では、ＡＰＯのカウントが所定時間に達すると電源がオフとなり、ポインタ／タイマー機能共に使用不可となる。また、ＡＰＯのカウント中に何らかのキー入力があった場合、ＡＰＯのカウントはクリアされた後、再開するものとする。
【００３８】
図６の例３は、タイマーの作動中にストップキーによりタイマーを一時停止を行い、その後ＡＰＯが作動した後にタイマーを再開する場合を示す。
ＳＴＥＰ３０は、電源オンと共にポインタ機能の使用、及びタイマー設定が可能となるとともに、ＡＰＯのカウントも開始する。ポインタ機能は機器の電源がオンになっている限り、如何なる状態であっても使用可能とする（上記ＳＴＥＰ２０と同様）。
【００３９】
ＳＴＥＰ３１では、タイマーの設定を行い、タイマーを開始すると、タイマーのカウントを行うとともに、ＡＰＯのカウントがクリアされる。このとき、ＡＰＯのカウントはキー入力を行わない限り、継続しているため、電源オンより一定時間キー入力がない場合、ＡＰＯにより電源はオフになる。また、タイマー作動中はＡＰＯのカウントは行われないものとする（上記ＳＴＥＰ２１と同様）。
【００４０】
ＳＴＥＰ３２では、ストップキー１９によりタイマーのカウントが停止するとともに、ＡＰＯのカウントが開始する（上記ＳＴＥＰ２６と同様）。その後、ＡＰＯのカウントが開始され、ＡＰＯが作動し電源がオフされたとする。
ＳＴＥＰ３３では、ＡＰＯのカウントが所定時間に達すると電源がオフとなり、ポインタ／タイマー機能共に使用不可となる。タイマーが一時停止中である場合、タイマーの数値をＲＡＭ２３に保存した後、電源がオフされる。また、ＡＰＯのカウント中に何らかのキー入力があった場合、ＡＰＯのカウントはクリアされた後、再開するものとする。
【００４１】
ＳＴＥＰ３４では、ＡＰＯが動作され電源がオフされた後、タイマーを一時停止していたのを再開させるためにスタートキー１８を押下されると、ＲＡＭ２３のカウントデータを読み込み、数値が保存されている場合は数値を読み込み、機器の電源をオンにするとともに、前回の途中よりタイマーを再開する。
【００４２】
数値が保存されていない場合は誤動作を防ぐため、スタートキー１８では電源がオンしないこととし、電源キー１５にて電源をオンにし、再度、タイマーの設定を行う。この場合を具体的に説明すると、タイマーの設定が行われていない状態で、ＡＰＯが作動し電源がオフされたときに、スタートキー１８の押下では、電源がオンにはならず、電源キー１５の押下でなければ電源がオンされないようにすることである。すなわち、ＡＰＯの動作が働く前の状態がどのような状態となるのかわからないこと、また他人が使用する場合など再開時にどのように使用されるかわからないことからレーザーポインタの誤動作を防止する意味から必ず電源キーにより最初の状態から開始されるようにする。このとき、電源オンに伴い、ＡＰＯのカウンタもクリアされるが、タイマーが作動中であるため、ＡＰＯのカウントは停止する。
【００４３】
ＳＴＥＰ３５では、タイマーのカウントが終了するとともに、ＡＰＯのカウントを開始する（上記ＳＴＥＰ２２と同様）。
ＳＴＥＰ３６では、ＡＰＯのカウントが所定時間に達すると電源がオフとなり、ポインタ／タイマー機能共に使用不可となる。ＡＰＯのカウント中に何らかのキー入力があった場合、ＡＰＯのカウントはクリアされた後、再開するものとする（上記ＳＴＥＰ２３と同様）。
【００４４】
以上説明したように、本実施の形態のタイマー付きレーザーポインタ１０は、機器全般の入出力／演算の処理やＡＰＯ機能などを制御するＣＰＵ２１、各種制御プログラムを記憶するＲＯＭ２２、カウンタの数値や演算データを記憶するＲＡＭ２３、ＬＣＤディスプレイ２４及びＬＣＤドライバ２５、レーザー光を発射するレーザーユニット２６、レーザーの発射に連動するパイロットランプ２７、時間のカウントを行うカウンタ２８、タイマー設定用キーボタン１７，残り時間表示ボタン１６，ポインタキー１３などの入力部２９、及びキー入力をＣＰＵ２１に送る入出力ポート３０を備え、ＣＰＵ２１は、タイマー機能を一時停止するとともに、一時停止しているタイマー機能を再開させる制御手段としての機能を有し、タイマー機能を一時停止させた場合にはタイマーのカウントを停止すると同時にＡＰＯ機能のカウントを開始し、タイマー機能を再開した場合にはタイマーのカウントを再開すると同時にＡＰＯ機能のカウントをクリアする電源制御を行うので、タイマーを一時停止中であってもＡＰＯが働き、電力の消費を抑えることができる。
また、ＡＰＯが作動した後も停止した状態から命令を再開することが可能であるため、タイマー設定の再入力などの操作が不要となる。
【００４５】
このように、本電子機器は一時停止中であってもＡＰＯが作動し、なおかつＡＰＯ前の状態からカウントを再開できるため、休憩を挟む長時間に及ぶ講演で使用するタイマーなど、中断時間が長い機器に適する。
また、本実施の形態では、ＡＰＯ機能が動作後に、タイマーを再開したとき、タイマーを一時停止したときのタイマーカウントがない場合には、タイマーを再開させたスタートキー１８の押下では電源オンをせずに、本体１０ａの電源キー１５の押下により電源をオンする制御を行う。したがって、一時停止状態で放置するとＡＰＯが働くことより、予期せず機器が作動し、安全上の問題が発生するレーザーポインタ等の電子機器に適する。
【００４６】
なお、上記実施の形態では、ＡＰＯ機能及びタイマー機能を有する電子機器を、タイマー付きレーザーポインタに適用した例であるが、ＡＰＯ機能及びタイマー機能を備える電子機器であればどのような装置にも適用可能である。また、本実施の形態に係るコンピュータが、電源制御装置、タイマー装置、タイマー付きレーザーポインタ、又は電源制御方法を具備するＰＤＡ等の携帯情報端末やパーソナルコンピュータの拡張機能として組み込まれたものでもよい。
【００４７】
また、本実施の形態では、複数の発光表示素子は、４つのＬＥＤとしているが、ＬＥＤには限定されず、その個数、形状、色等はどのようなものであってもよい。
また、上記電子機器及びレーザーポインタを構成する各回路部、例えばＬＥＤの種類・数、キー等の種類・数、電源オフ時間及びレーザー照射機構などは前述した実施の形態に限られない。
【００４８】
【発明の効果】
以上、詳述したように、本発明によれば、タイマーを一時停止であってもＡＰＯ機能を作動させることができ、省電力化、再入力操作不要及び誤操作による機器の作動を防ぐことができる。
【図面の簡単な説明】
【図１】本発明の実施の形態のレーザーポインタの外観を示す図である。
【図２】本実施の形態のレーザーポインタの構成を示すブロック図である。
【図３】本実施の形態の電子機器、レーザーポインタ及び電源制御方法のＡＰＯカウント処理を示すフローチャートである。
【図４】本発明の実施の形態の電子機器の各機能の作動状態を示す図である。
【図５】本発明の実施の形態の電子機器の各機能の作動状態を示す図である。
【図６】本発明の実施の形態の電子機器の各機能の作動状態を示す図である。
【符号の説明】
１０　タイマー付きレーザーポインタ（電子機器）
１０ａ　本体（ケース）
１０ｂ　レーザー射出口
１１　表示器
１２，１２ａ〜１２ｄ　タイマー用発光表示素子（ＬＥＤ）
１３，２７　レーザー出力確認用パイロットランプ
１４　ポインタキー
１５　電源キー
１６　残り時間表示ボタン
１７　タイマー設定用キーボタン
１８　スタートキー
１９　ストップキー
２０　キーボード
２１　ＣＰＵ（制御手段）
２２　ＲＯＭ
２３　ＲＡＭ
２４　ＬＣＤディスプレイ
２４ａ　バックライト
２５　ＣＤドライバ
２６　レーザーユニット（レーザー出力手段）
２８　カウンタ
２９　入力部
３０　入出力ポート（Ｉ／Ｏポート）
【図１】
2004013404.tif 000003
【図２】
2004013404.tif 000004
【図３】
2004013404.tif 000005
【図４】
2004013404.tif 000006
【図５】
2004013404.tif 000007
【図６】
2004013404.tif 000008